(57)【要約】【課題】  本発明はユーザが腰をかがめたり姿勢を低める必要なく簡単なボタン操作によって延長管を屈折させ楽に掃除作業を行えるよう構造が改善された真空掃除機の屈折延長管を提供する。【解決手段】  本発明に係る真空掃除機の屈折延長管は、第１延長管と、第１延長管に回動自在に結合される第２延長管と、第１延長管の外側で第１および第２延長管を貫通するよう設けられる少なくとも１つの離脱防止キャップ、および第１延長管にヒンジ結合され第２延長管をフッキングしつつ第１および第２延長管の回動を選択的にロッキングするロッキングユニットを含み、ユーザがロッキングユニットを作動する場合、前記ロッキングユニットが前記第２延長管の拘束を排除して第１および第２延長管が屈折される。【選択図】      図１
2005177452.tif 000002
【特許請求の範囲】
【請求項１】
真空掃除機本体と吸込ブラシとの間の密閉された流路を形成し、その胴体がユーザの選択によって屈折される真空掃除機の屈折延長管において、
第１延長管と、
該第１延長管に回動自在に結合される第２延長管と、
前記第１延長管の外側で前記第１および第２延長管を貫設される少なくとも１つの離脱防止キャップと、
前記第１延長管にヒンジ結合され前記第２延長管をフッキングし、前記第１および第２延長管の回動を選択的にロッキングするロッキングユニットを含み、
ユーザが前記ロッキングユニットを作動する場合、前記ロッキングユニットが前記第２延長管の拘束を解除して前記第１および第２延長管が屈折されることを特徴とする真空掃除機の屈折延長管。
【請求項２】
前記第１延長管は、
パイプ状の胴体と、
前記胴体の外周面の一部が開放されるよう形成され、開放された部分に前記第２延長管が回動自在に結合される円筒形ジョイントと、
前記ロッキングレバーが設けられるロッカー収容部とを含むことを特徴とする請求項１に記載の真空掃除機の屈折延長管。
【請求項３】
前記円筒形ジョイントは、前記離脱防止キャップが貫設される第１および第２挿入溝を含むことを特徴とする請求項２に記載の真空掃除機の屈折延長管。
【請求項４】
前記第１挿入溝は、前記離脱防止キャップに突設された第１挿入突起と対応する位置に貫設された複数のスロットであることを特徴とする請求項３に記載の真空掃除機の屈折延長管。
【請求項５】
前記第１挿入溝は、前記複数のスロットの外周面を連結する仮想の連結線が円形であることを特徴とする請求項４に記載の真空掃除機の屈折延長管。
【請求項６】
前記第２挿入溝は、前記離脱防止キャップに突設された第２挿入突起と対応する位置に貫設された貫通孔であることを特徴とする請求項３に記載の真空掃除機の屈折延長管。
【請求項７】
前記第１および第２挿入溝は、前記円筒形ジョイントの両側面に、前記離脱防止キャップの厚さと対応する深さに陥没した収容溝に設けられることを特徴とする請求項３ないし６のうちいずれか一項に記載の真空掃除機の屈折延長管。
【請求項８】
前記ロッキングユニットは、
前記第１延長管にヒンジ結合されるロッキングレバーと、
前記ロッキングレバーの先端に突設された少なくとも１つのフックを含むことを特徴とする請求項１に記載の真空掃除機の屈折延長管。
【請求項９】
前記第２延長管は、
前記フックと対応する位置の係止溝と、
前記第２延長管の逆転を防止する係止爪とを含むことを特徴とする請求項８に記載の真空掃除機の屈折延長管。
【発明の詳細な説明】
【技術分野】
【０００１】
本発明は真空掃除機に係り、特に寝台、ソファなど家具の下側と床との空間を一層便利に掃除できるように延長管の連結部を屈折自在に連結できる真空掃除機の屈折延長管に関する。
【背景技術】
【０００２】
一般に、真空掃除機は掃除機本体に設けられた真空吸込モータによって発生された真空吸込力によって被掃除面の汚れ物を空気と共に吸い込むもので、掃除機本体と掃除を行なう吸込ブラシとの間を密閉状態に連結するための流路が形成される。
【０００３】
このような流路は真空掃除機の種類に応じて多様に設けられるが、一般にキャニスタ型真空掃除機の場合、本体と作動ハンドルを連結するフラッキシブルホースと、作動ハンドルと吸込ブラシを連結する延長管で構成される。このような延長管は、必要に応じて長さを調節できる伸縮型や、複数の延長管それぞれを分離および組立てられるよう備えられることが一般的である。
【０００４】
ところが、ユーザが寝台やソファのような家具の下部を掃除するためには、前述したような従来の延長管で連結された吸込ブラシの場合、延長管と吸込ブラシとの角度は殆ど固定されているので、姿勢を低めたまま吸込ブラシを床面に密着させた状態に延長管を回して掃除を行なうべきである。また、延長管と吸込ブラシとの角度を可変できるとしても、吸込ブラシを家具の下側と床との間に入れるためにはユーザが腰をかがめるべきなどの不便があって改善が求められている。
【発明の開示】
【発明が解決しようとする課題】
【０００５】
本発明は前述したような問題点を解決するために案出されたもので、その目的はユーザが腰をかがめたり姿勢を低める必要なく、簡単なボタン操作で延長管を屈折させて楽に掃除作業を行なえるよう構造が改善された真空掃除機の屈折延長管を提供するところにある。
【課題を解決するための手段】
【０００６】
前述したような目的を達成するための本発明に係る真空掃除機の屈折延長管は、真空掃除機本体と吸込ブラシとの密閉された流路を形成し、その胴体がユーザの選択に応じて屈折される真空掃除機の屈折延長管において、第１延長管と、該第１延長管に回動自在に結合される第２延長管と、前記第１延長管の外側で前記第１および第２延長管を貫設される少なくとも１つの離脱防止キャップと、前記第１延長管にヒンジ結合され前記第２延長管をフッキングしつつ、前記第１および第２延長管の回動を選択的にロッキングするロッキングユニットとを含んで、ユーザが前記ロッキングユニットを作動する場合、前記ロッキングユニットが前記第２延長管の拘束を解除して前記第１および第２延長管が屈折されることを特徴とする。
【０００７】
本発明の好ましい実施形態によれば、前記第１延長管はパイプ状の胴体と、該胴体の一側端部に外周面の一部が開放されるよう形成され、開放された部分に前記第２延長管が回動自在に結合される円筒形ジョイントと、前記ロッキングレバーが設けられるロッカー収容部とを含むことが良い。
【０００８】
そして、前記円筒形ジョイントは前記離脱防止キャップが貫設される第１および第２挿入溝を含むことが良い。
【０００９】
この際、前記第１挿入溝は、前記離脱防止キャップに突設された第１挿入突起と対応する位置に貫設された複数のスロットで備えられることが好ましく、前記複数のスロットの外周面を連結する仮想の連結線が円形で備えられる。
【００１０】
また、前記第２挿入溝は前記離脱防止キャップに突設された第２挿入突起と対応する位置に貫設された貫通孔で備えられることが良い。
【００１１】
そして、前記第１および第２挿入溝は前記円筒形ジョイントの両側面に前記離脱防止キャップの厚さと対応する深さに陥没した収容溝に設けられることが好ましい。
【００１２】
また、前記ロッキングユニットは前記第１延長管にヒンジ結合されるロッキングレバー、および前記ロッキングレバーの先端に突設された少なくとも１つのフックを含むことが好ましい。この際、前記第２延長管は前記フックと対応する位置に係止溝、および前記第２延長管の逆転を防止する係止爪を含むことが好ましい。
【発明の効果】
【００１３】
以上のような本発明に係る真空掃除機の屈折延長管によれば、ユーザが腰をかがめたり姿勢を低める必要なく、簡単な作動ハンドルまたはリリースハンドルを引っ張る操作だけで延長管を屈折させられるので、寝台やソファのような家具の下側と床との間も楽に掃除できて使い勝手がよくなる。
【発明を実施するための最良の形態】
【００１４】
以下、添付した図面に基づき本発明の好ましい実施形態を詳述する。
【００１５】
図１および図２は本発明に係る真空掃除機の屈折延長管を示した斜視図および分解斜視図であって、掃除機本体(図示せず)側と連結される第１延長管１１０と、第１延長管１１０に屈折自在に連結され、被掃除面を掃除する吸込ブラシ(図示せず)と連結される第２延長管１２０を含む。第１および第２延長管１１０、１２０は離脱防止キャップ１３０により回動自在に連結されており、第１延長管１１０にヒンジ結合されたロッキングユニット１４０によって屈折が調節される。
【００１６】
第１延長管１１０は、延長管本体１１１と、第２延長管１２０と連結される円筒形ジョイント１１２およびロッキングユニット１４０が設けられるロッキングレバー収容部１１３を含む。
【００１７】
延長管本体１１１は一側が掃除機本体(図示せず)と連結され、その他側に円筒形ジョイント１１２が備えらえ、略パイプ状に備えられる。
【００１８】
円筒形ジョイント１１２は、図２に示したように、第２延長管１２０に形成された連結部１２２を含むよう一側面が開放された円筒形より具備され、その両側面には図２に示したように第１および第２延長管１１０、１２０を貫通するよう離脱防止キャップ１３０が円筒形ジョイント１１２の両側に形成された収容溝１１２ｃに結合される。このため、収容溝１１２ｃには、離脱防止キャップ１３０が第１および第２延長管１１０、１２０を全て貫通して結合できるよう第１および第２挿入溝１１２ａ、１１２ｂが形成される。
【００１９】
第２延長管１２０は、一側が被掃除面を掃除する吸込ブラシ(図示せず)側と連結され、その他側には円筒形ジョイント１１２に結合される連結部１２２が形成される。連結部１２２は円筒形ジョイント１１２の内周面と対応するサイズの円筒形より設けられることが好ましく、離脱防止キャップ１３０によって円筒形ジョイント１１２に回動自在に結合される。
【００２０】
そして、前記連結部の外周面には、第１および第２延長管１１０、１２０が一直線状態の場合、円筒形ジョイント１１２に保持されるよう係止爪１２３が形成され、係止爪１２３の反対側の外周面には後述するロッキングユニット１４０がフッキングされる係止溝１２４が形成される。
【００２１】
離脱防止キャップ１３０は、円筒形ジョイント１１２の両側に結合され、第１および第２延長管１１０、１２０を回動自在に結合する役割を果たす。そのため、円筒形ジョイント１１２と結合される結合端部には図２に示した通り、第１および第２挿入突起１３１、１３２を含む。
【００２２】
第１挿入突起１３１は、離脱防止キャップ１３０の最外郭から所定間隔に離隔設置され、示したように上部および下部、左側および右側がそれぞれ対称に突設されることが良い。この際、複数に構成された第１挿入突起１３１の外周面を連結すれば、円形の仮想線が形成されるが、これは第２延長管１２０を第１延長管１１０についてスムーズに回動させるためである。従って、第２延長管１２０の円滑な回転のため、第１挿入突起１３１と対称のそれぞれの突起の最外郭間の距離は連結部１２２の内周面のサイズと対応して形成されることが好ましい。
【００２３】
第２挿入突起１３２は、第１挿入突起１３１の内側に突設され、第１挿入突起１３１と同じく、上部および下部、左側および右側がそれぞれ対称に形成される。但し、第１挿入突起１３１それぞれが離隔された部分に第２挿入突起１３２が位置されるよう、図２に示したように第１挿入突起１３１と交差して設置されることが好ましい。
【００２４】
ロッキングユニット１４０は、第１延長管本体１１１に一体に形成されたロッキングレバー収容部１１３に弾性部材１４４と共にヒンジピン１４３により設けられるロッキングレバー１４１で備えられる。そして、ロッキングレバー１４１の先端にはフック１４２が形成され、係止溝１２４にフッキングされ、第２延長管１２０を第１延長管１１０について一直線状態に固定できる。
【００２５】
フック１４２は、ロッキングレバー１４１の先端に少なくとも１つ以上に備えられることがきるが、本発明の好ましい実施形態によれば、図２に示したよう両端に対称されるよう２つ形成されることが好ましい。
【００２６】
以下、添付した図面に基づき本発明の好ましい実施形態に係る真空掃除機の屈折延長管の動作を説明する。
【００２７】
図３および図４は本発明の好ましい実施形態に係る真空掃除機の屈折延長管の一部切開断面図である。
【００２８】
すなわち、一般の被掃除面、例えば床のように平坦な部分の掃除作業を行なっているときには、第１および第２延長管１１０、１２０は一直線状態に固定される。このため、第１および第２延長管１１０、１２０は、示したように、ロッキングレバー１４１の先端に突設されたフック１４２が、第２延長管１２０のフック１４２と対応する箇所に陥没形成された係止溝１２４にフッキングされながら第１および第２延長管１１０、１２０が一直線上に固定される。
【００２９】
一方、係止溝１２４の他側には、第２延長管１２０がユーザが望む屈折方向と逆方向に屈折されることを防止するための係止爪１２３が設けられ、円筒形ジョイント１１２(図２参照)の開口された一断面に支持される。従って、ロッキングレバー１４１が係止溝１２４から離脱しつつロッキングが解除される場合にも、第２延長管本体１２１は図３の矢印方向にだけ回転可能である。
【００３０】
そして、寝台のような家具の下側と床との空間を掃除する場合、ユーザはロッキングレバー１４１を図４の矢印方向に押える。すると、フック１４２は係止溝１２４から離脱しつつ、第２延長管本体１２１は示したように屈折される。
【００３１】
一方、吸込ブラシ(図示せず)が連結された第２延長管本体１２１を第１延長管本体１１１と一直線状態に復帰させるためには、ユーザが第１延長管本体１１１を握った状態で上側に持ち上げると、第２延長管本体１２１に連結された前記吸込ブラシと、第２延長管本体１２１の自重によって、フック１４２が係止溝１２４に収容されるまで屈折された方向の逆方向に回転される。この際、フック１４２が一体に形成されたロッキングレバー１４１は弾性部材１４４の介在下に結合されているため、弾性部材１４４の弾性復元力によってフック１４２は係止溝１２４に係止される。従って、ユーザは別のボタン動作なしに第１延長管本体１１１を持ち上げる動作だけで屈折された第１および第２延長管１１０、１２０を一直線状態に復帰させることが可能である。
【００３２】
一方、図５に示したように、連結部１２２は円筒形ジョイント１１２の内部に含まれるよう結合され、吸込流路が屈折時流失されないよう連結部１２２の一部だけがオープンされている。また、離脱防止キャップ１３０は、円筒形ジョイント１１２の両側に所定深さに陥没設置された収容溝１１２ｃに設けられた第１および第２挿入溝１１２ａ、１１２ｂに結合されるため、円筒形ジョイント１１２と密着されよく抜けない。 
【産業上の利用可能性】
【００３３】
本発明は寝台、ソファなど家具の下側と床との空間をさらに便利に掃除できるよう延長管の連結部を屈折自在に連結できる真空掃除機の屈折延長管に係り、このような屈折延長管に設けることによってユーザが寝台の下側と床との間のような片隅をさらに楽に掃除できる真空掃除機に適用される。
【図面の簡単な説明】
【００３４】
【図１】本発明に係る真空掃除機の屈折延長管の斜視図である。
【図２】図１の分解斜視図である。
【図３】本発明に係る第１および第２延長管がロッキングされ一直線に固定された状態のIII-III線断面図である。
【図４】本発明に係る第１および第２延長管のロッキングが解除され屈折される状態のIII-III線断面図である。
【図５】本発明に係る真空掃除機の屈折延長管のV-V線断面図である。
【符号の説明】
【００３５】
１００    屈折延長管
１１０    第１延長管
１１１    第１延長管本体
１１２    円筒形ジョイント
１１２ａ、１１２ｂ  第１および第２挿入溝
１１２ｃ  収容溝
１１３    ロッキングレバー収容部
１２０    第２延長管
１２１    第２延長管本体 
１２２    連結部
１３０    離脱防止キャップ
１４０    ロッキングユニット
１４１    ロッキングレバー
１４２    フック
１４３    ヒンジピン
１４４    弾性部材
【図１】
2005177452.tif 000003
【図２】
2005177452.tif 000004
【図３】
2005177452.tif 000005
【図４】
2005177452.tif 000006
【図５】
2005177452.tif 000007